(57)【要約】【課題】グラスとコースターが一体となって図柄模様を作成し、グラスを包装容器に収納時にもかかる一体化された図柄模様が外部から観察でき、装飾性に優れ購買力を惹起し得る陳列方法を提供する。【解決手段】本発明のグラスおよびコースターの陳列方法は、側面が透明若しくは半透明の容器に、側面に図柄の施された透明のグラスを入れ、透明のグラスの内側に柔軟性のある色彩模様の施されたコースターをグラスの側面に沿わせるように屈曲させて挿入し、陳列することを特徴とする。グラスを収納する容器は略円柱であることが好ましく、また、透明のグラスの側面に施された図柄と、コースターに施された色彩模様とが一体となって意味を連想させる図柄を形成することが好ましい。【選択図】図１
2008104601.tif 000002
【特許請求の範囲】
【請求項１】
側面が透明若しくは半透明の容器に、側面に図柄の施された透明のグラスを入れ、前記透明のグラスの内側に柔軟性のある色彩模様の施されたコースターを前記グラスの側面に沿わせるように屈曲させて挿入し、陳列することを特徴とするグラスおよびコースターの陳列方法。
【請求項２】
前記容器が略円柱若しくは多角柱であることを特徴とする請求項１に記載のグラスおよびコースターの陳列方法。
【請求項３】
前記透明のグラスの側面に施された図柄と、前記コースターに施された色彩模様とが一体となって意味を連想させる図柄を形成することを特徴とする請求項１に記載のグラスおよびコースターの陳列方法。
【発明の詳細な説明】
【技術分野】
【０００１】
本発明は、特定の図柄が施されたグラスおよびコースターの陳列方法に関し、装飾性に優れ購買力を惹起し得る陳列方法に関する。
【背景技術】
【０００２】
従来からグラスとコースターは異なる商品として独立に販売されている。コースターには華やかな図柄模様が施されているものもある。また、グラス自体に図柄模様が施され、コースター上にグラスを置いた場合に、コースターに施された図柄模様とグラスに施された図柄模様とが関連性（ストーリー性）を持つものであったり、グラスとコースターが一体となって完成した図柄模様を形成するものも存在する。
また、コップの外周面に着脱自在に被嵌止されるホルダーに模様の輪郭を形成する部材を設け、コップ自体の外周面に模様を形成し、ホルダーの輪郭の模様と、コップの外周面の模様とが一体となって意味のある模様が形成されるものが知られている（例えば、特許文献１。）。
【０００３】
しかしながら、コースターは平面形状をしており、コースターに如何に多彩で華やかな図柄模様が形成されようとも、グラスをコースター上に載せた場合、グラスの側面方向から眺めたのではコースターの図柄模様の装飾性は十分に発揮されず、購買者に訴求する効果は大きなものとは言えない。
【０００４】
また、グラス側面に図柄模様を設け、コースターの図柄模様と一体となるようにそれぞれの図柄模様をデザインしたとしても、コースター上のグラスの置き位置（通常は中央付近）や、グラスの底面形状の制約を受けることとなり、自由で独創性豊かな図柄模様を設けることが困難であるといった問題もある。
【０００５】
さらに、グラスの場合は、通常ガラス等から構成されるため、外周面は透明若しくは半透明であることから、コースター上にグラスを置いた場合は、グラスとコースターの図柄模様に関連性を持たせたとしても、購買者等の観察者からは図柄模様の関連性が十分に伝わらないという問題もある。
一方、供給者側からすれば、グラスとコースターがセットになって販売されていく方が良く、供給者側ではセット販売されるような装飾性に優れた陳列方法が熱望されていた。
【０００６】
【特許文献１】実開平２−５０２７０号公報
【発明の開示】
【発明が解決しようとする課題】
【０００７】
上述の問題点やニーズに対応すべく、本発明のグラスおよびコースターの陳列方法は、グラスとコースターが一体となって図柄模様を形成し、グラスを包装容器に収納した際にもかかる一体化された図柄模様が外部から観察でき、装飾性に優れ購買力を惹起し得る陳列方法を提供することを目的とする。
【課題を解決するための手段】
【０００８】
上記目的を達成するため、本発明のグラスおよびコースターの陳列方法は、側面が透明若しくは半透明の容器に、側面に図柄の施された透明のグラスを入れ、透明のグラスの内側に柔軟性のある色彩模様の施されたコースターをグラスの側面に沿わせるように屈曲させて挿入し、陳列することを特徴とする。
ここで、柔軟性あるコースターとは、例えば、綿や塩化ビニルなどの材料から形成されたコースターをいう。色彩模様の施されたコースターを、グラスの側面に沿わせるように屈曲させて挿入することで、透明のグラス側面の図柄（線図やガラスの凹凸形状による模様）が、コースターの色彩模様を背景として明確に現れるのである。
【０００９】
また、１つの容器内にグラスとコースターがセットになって収納されることになるため、購買者もグラスとコースターをセットで購入することとなり、販売効率が向上する。
また、コースターをグラスの側面に沿わせるように屈曲させて挿入した場合は、グラスをコースター上に配置した場合とは異なり、グラスの側面方向から眺めた場合に、コースターの図柄模様の装飾性が十分に発揮され、かつ、グラス側面の装飾と相乗効果が生じて、購買者に訴求する効果は非常に大きくなるのである。
【００１０】
ここで、上記のグラスおよびコースターの陳列方法において、グラスを収納する容器は略円柱若しくは多角柱であることが好ましい。通常、グラスは逆円錐台の形状をしており、それを収納するものとして、円柱の容器が好適である。容器の側面（外周面）は透明若しくは半透明としているのは内部のグラスの側面の図柄模様、更には、グラス内側のコースターの図柄模様を容器の外部から観察可能とするためである。
円柱の透明容器の場合、容器の中身の形状が最も明瞭に把握できる効果がある。
なお、容器の側面に線図、文字、点在する図柄を設けることも可能である。容器内部のグラスおよびコースターの図柄模様が十分に観察できる程度の透明若しくは半透明の側面部分が存在することで目的は達成できる。
グラスを収納する容器は、略円柱の形状であり、蓋をつけることで重ねて陳列することも可能である。
また、多角柱とした場合は、横にしても転がらず陳列の利便性が向上する。多角柱は四角柱、五角柱、六角柱・・・などである。
【００１１】
また、上記のグラスおよびコースターの陳列方法において、透明のグラスの側面に施された図柄と、コースターに施された色彩模様とが一体となって意味を連想させる図柄を形成することが好ましい。意味を連想させる図柄とは、例えば、コースターに葉っぱの図柄が施され、グラスに花弁の線図が施され、一体となって、野山の草原をイメージさせるようなものが挙げられる。この他、花びらの線図がグラスに施され、コースターに花びらの影と太陽などが施され、一体となることで奥行きのある空間をイメージさせるものもある。
この他、人物、動物、植物、風景、キャラクターなど色々な図柄をグラスとコースターに施すことで、ストーリー性のある図柄を形成することが可能である。
【発明の効果】
【００１２】
本発明のグラスおよびコースターの陳列方法によれば、コースターを透明なグラス側面に沿わせるように屈曲させて挿入することで、グラスの装飾効果を高め、購買者にグラスとコースターのセットでの購買意欲を掻き立てる効果を有する。
グラスとコースターが一体となって図柄模様を作成し、グラスを包装容器に収納時にもかかる一体化された図柄模様が外部から観察できることから、装飾性に優れ購買力を惹起し得る効果がある。
また、コースターがグラスの中に、グラスが容器の中に収納されることから、陳列スペースを削減する効果もある。
【発明を実施するための最良の形態】
【００１３】
以下、本発明の実施形態について、図面を参照しながら説明する。ただし、本発明の範囲は、図示例に限定されるものではない。
【実施例１】
【００１４】
図１は、グラスおよびコースターの陳列容器の作製方法の説明図である。
先ず、綿または塩化ビニルから成る柔軟性あるコースター１０を用意する。このコースターには、図柄模様（図中ではハッチングで示す）が施されている。これを曲げて円筒状とし、透明なグラス２０の内側で内側面に沿わせるように屈曲させて挿入する。
透明なグラス２０の外周面には、白色の線図が描かれている。グラス単独では、この白色の線図は目立たないのであるが、グラス内側面に沿って図柄模様のコースターが存在するために、かかる白色の線図は明瞭に現れることとなる。
【００１５】
次に、グラス２０は容器（３１〜３４）に収納される。容器底３４にあるグラス立ての窪み３３にグラス底を嵌め込み、容器側面３２と容器上蓋３１でグラス２０を収納・梱包するのである。容器側面３２は透明であり、ここから中身のグラス２０の側面が観察できる。中身のグラス２０はその外周面の図柄模様と、内周面に沿って存在するコースター１０の図柄模様とが一体となって模様を形成するのである。
グラスおよびコースターの陳列容器の外観斜視図を図２に示す。この装飾性の高い斜視図の状態でグラスとコースターがセットで販売されていくのである。かかる装飾性の高さから、需要者の購買意欲が掻き立てられることとなる。
【００１６】
ここで、具体例を示して、グラスとコースターの図柄模様の組み合わせの妙味を説明する。図３−１〜図３−７に、本発明のグラスおよびコースターの陳列方法の一例を示す。
図３−１〜図３−７において、（１）コースターの図柄，（２）グラス側面の図柄，（３）グラスおよびコースターの陳列した外観図を示している。
【００１７】
先ず、図３−１は、コースターに大きな花びらとつた・葉を図柄として描き、グラス側面にも花びら形状と模様が異なる大きな花びらとつた・葉を図柄として描いている。コースターの背景色を鮮明な色（例えば、赤系色）として図柄は黒で描き、グラスの側面の図柄は白色で描きシルク印刷を行うことにする。
完成したグラスおよびコースターの陳列した外観図は、コースターの背景色により、グラスの側面の図柄が明瞭に映し出され、また、コースターの花びらとつた葉の図柄模様とグラス側面の花びらとつた葉の図柄模様が相俟って、立体感のある図柄を構築していることがわかる。  
【００１８】
次に、図３−２は、コースターに波模様を図柄として描き、グラス側面には馬車の車輪イメージと空気の気泡を図柄として描いている。コースターの背景色を鮮明な色として図柄は同系色で濃く描き、グラスの側面の図柄は白色で描きシルク印刷を行うことにする。
完成したグラスおよびコースターの陳列した外観図は、コースターの背景色により、グラスの側面の図柄が明瞭に映し出され、また、コースターの波模様の図柄模様とグラス側面の馬車の車輪イメージと空気の気泡の図柄模様が相俟って、幻想的な雰囲気のある図柄を構築していることがわかる。
【００１９】
次に、図３−３は、コースターに草原（草の丈が高い）を図柄として描き、グラス側面には水と水草を図柄として描いている。コースターの背景色を緑系の色として図柄は同系色で濃く描き、グラスの側面の図柄は打ち抜き的に白色で描き（水面から水草の外形までが白色で、水草部分が透明に成るように処理を施し）、シルク印刷を行うことにする。
完成したグラスおよびコースターの陳列した外観図は、コースターの背景色により、グラスの側面の図柄が明瞭に映し出され、また、コースターの草原の図柄模様とグラス側面の水と水草の図柄模様が相俟って、水中の世界の雰囲気のある図柄を構築していることがわかる。
【００２０】
次に、図３−４は、コースターに草花の咲く草原を図柄として描き、グラス側面には草花を図柄として描いている。コースターの背景色を緑系色で草花を白、葉を明るい緑で描き、グラスの側面の図柄は白色で描きシルク印刷を行うことにする。
完成したグラスおよびコースターの陳列した外観図は、コースターの背景色により、グラスの側面の図柄が明瞭に映し出され、また、コースターの草原の図柄模様とグラス側面の草花の図柄模様が相俟って、多くの草花が咲く草原のイメージのある図柄を構築していることがわかる。
【００２１】
次に、図３−５は、コースターに波模様を図柄として描き、グラス側面には空気の気泡を図柄として描いている。コースターの背景色および波模様を鮮明な青系色と白色で描き、グラスの側面の図柄は白色で描きシルク印刷を行うことにする。
完成したグラスおよびコースターの陳列した外観図は、コースターの背景色により、グラスの側面の図柄が明瞭に映し出され、また、コースターの波模様の図柄模様とグラス側面の空気の気泡の図柄模様が相俟って、幻想的な雰囲気のある図柄を構築していることがわかる。
【００２２】
次に、図３−６は、コースターに冬の森林内のイメージを幾何学的模様の図柄として描き、グラス側面には樹木を図柄として描いている。コースターの背景色は冷たさを感じさせる青系色で、また、図柄模様の一部の間を白色で描く。グラスの側面の図柄は白色で描きシルク印刷を行うことにする。
完成したグラスおよびコースターの陳列した外観図は、コースターの背景色により、グラスの側面の図柄が明瞭に映し出され、また、コースターの冬の森林内のイメージの図柄模様とグラス側面の白色の樹木の図柄模様が相俟って、また、コースターの白色で描く部分とグラス側面の白色の樹木の図柄模様が一体となって、冬の樹氷のイメージのある図柄を構築していることがわかる。
【００２３】
次に、図３−７は、コースターに大きな花びらを図柄として描き、グラス側面につた・葉を図柄として描いている。コースターの背景色を鮮明な色（例えば、赤系色）として図柄は同系色で描き、グラスの側面の図柄は白色で描きシルク印刷を行うことにする。
完成したグラスおよびコースターの陳列した外観図は、コースターの背景色により、グラスの側面の図柄が明瞭に映し出され、また、コースターの花びらの図柄模様とグラス側面のつた葉の図柄模様が相俟って、一体感のある図柄を構築していることがわかる。
【００２４】
以上説明したように、本発明のグラスおよびコースターの陳列方法によれば、グラスとコースターが一体若しくは関連性をもって図柄模様を作成し、グラスを包装容器に収納時にもかかる一体化された図柄模様が外部から観察できることから、装飾性に優れ購買力を惹起し得る効果があることが期待できる。
【産業上の利用可能性】
【００２５】
本発明のグラスおよびコースターの陳列方法は、グラスおよびコースターの販促事業に有用である。
【図面の簡単な説明】
【００２６】
【図１】グラスおよびコースターの陳列容器の作製方法の説明図
【図２】グラスおよびコースターの陳列容器の外観斜視図
【図３−１】グラスおよびコースターの陳列容器の外観図柄模様例Ａ
【図３−２】グラスおよびコースターの陳列容器の外観図柄模様例Ｂ
【図３−３】グラスおよびコースターの陳列容器の外観図柄模様例Ｃ
【図３−４】グラスおよびコースターの陳列容器の外観図柄模様例Ｄ
【図３−５】グラスおよびコースターの陳列容器の外観図柄模様例Ｅ
【図３−６】グラスおよびコースターの陳列容器の外観図柄模様例Ｆ
【図３−７】グラスおよびコースターの陳列容器の外観図柄模様例Ｇ
【符号の説明】
【００２７】
１０  コースター
２０  グラス
３１  容器上蓋
３２  容器側面（透明）
３３  容器底の窪み（グラス立て）
３４  容器底
【図１】
2008104601.tif 000003
【図２】
2008104601.tif 000004
【図３−１】
2008104601.tif 000005
【図３−２】
2008104601.tif 000006
【図３−３】
2008104601.tif 000007
【図３−４】
2008104601.tif 000008
【図３−５】
2008104601.tif 000009
【図３−６】
2008104601.tif 000010
【図３−７】
2008104601.tif 000011